(57)【要約】      （修正有）【課題】天井桟の幅に関係なく一つの支持具で対応できる天井ボード用支持具を提供する。【解決手段】断面四角形状なＬ型ロッド（１）の縦ロッド（１a）側をスライドアーム（２）の後端側に穿設した角孔（２a）に遊嵌すると共に、前記Ｌ型ロッド（１）上部の横ロッド（１b）先端部に上挟持板（３）を設け、前記スライドアーム（２）の先端側には、上方に突出し前記上挟持板（３）と対向する下挟持板部（４a）を備えた支持部材（４）が上下移動可能に設けられると共に、天井桟（Ａ）を挟んで前記支持部材（４）を前記上挟持板（３）に押し付けて前記スライドアーム（２）を前記縦ロッド（１a）にロックするロック手段（５）を具備し、且つ、前記横ロッド（１b）には、その下部から突出するストッパ（６）を移動自在に設けた。【選択図】図１
2017128869.tif 000002
【特許請求の範囲】
【請求項１】
断面四角形状なＬ型ロッド（１）の縦ロッド（１a）側をスライドアーム（２）の後端側に穿設した角孔（２a）に遊嵌すると共に、前記Ｌ型ロッド（１）上部の横ロッド（１b）先端部に上挟持板（３）を設け、前記スライドアーム（２）の先端側には、上方に突出し前記上挟持板（３）と対向する下挟持板部（４a）を備えた支持部材（４）が上下移動可能に設けられると共に、天井桟（Ａ）を挟んで前記支持部材（４）を前記上挟持板（３）に押し付けて前記スライドアーム（２）を前記縦ロッド（１a）にロックするロック手段（５）を具備し、且つ、前記横ロッド（１b）には、その下部から突出するストッパ（６）を移動自在に設けたことを特徴とする天井ボード用支持具。
【請求項２】
前記支持部材（４）が、その一端側から上方に突出して前記上挟持板（３）と対向する前記下挟持板部（４a）を備え、且つ、前記下挟持板部（４a）の長手方向の中央側面には下方に伸長する四角棒状の摺動杆（４c）設け、この摺動杆（４c）の下部を前記スライドアーム（２）の案内用角孔（２b）に遊嵌させ、前記スライドアーム（２）に前記支持部材（４）を上下移動可能に設けた請求項１記載の天井ボード用支持具。
【請求項３】
前記支持部材（４）にビス止め用の貫通穴（４b）を穿設した請求項１又は２記載の天井ボード用支持具。
【請求項４】
前記ロック手段（５）が、少なくとも、前記スライドアーム（２）の先端側に螺合し、下部に回転握り部（５１a）を有するネジ棒（５１）である請求項１，２又は３の記載の天井ボード用支持具。
【請求項５】
前記ロック手段（５）が、少なくとも、前記スライドアーム（２）の先端に形成したラチェト（２１）と、前記スライドアーム（２）の先端部に回動自在に設けたレバー（５２）と、このレバー（５２）に設けた係止爪（５３）及び解除ボタン（５４）とから成る請求項１、２又は３載の天井ボード用支持具。
【発明の詳細な説明】
【技術分野】
【０００１】
本発明は、天井桟に天井ボードをビスで取付ける際に、天井ボードの片側を位置決めして係着する天井ボード用支持具に関する。
【背景技術】
【０００２】
従来、天井桟に天井ボードをビスで取付けるには、一般規格寸法の天井ボード一枚が大きくて、一人で取付けるには天井ボードの片方を既に取付けた天井ボードに突き合わせて位置決めし、この状態で天井ボードの片方をビス止めしながら順次天井桟に天井ボードを取付けて行く。
この際に、片手と頭で天井ボードを支えながら、もう片方の手でインパクトドライバーを持ちビス止めするため重労働を強いられていた。
【０００３】
この一人での重労働の作業を解消する手段として、特許文献１には、天井桟に止着する天井ボードの支持具であって、支持具本体に、天井桟の上面部に対する乗せ掛け支持部と、この支持部に連設され且つ天井桟の幅方向一方の側面部を迂回して、天井桟の下面部との間に天井ボードの載架空間を形成するボード載架部と、このボード載架部への天井ボードの載架に伴う支持具本体の回動を規制する回動規制部と、天井桟の幅方向両側の側面部に係止可能な係止部とを備え、かつ、天井桟の幅方向他方の係止部とボード載架部との間に、天井桟に対する支持具本体の横側方からの乗せ掛け並びに取り外し用の隙間を形成してなる天井ボードの支持具が開示されている。
【先行技術文献】
【特許文献】
【０００４】
【特許文献１】特開２００１−３４８９９１号公報
【発明の概要】
【発明が解決しようとする課題】
【０００５】
しかしながら、通常天井桟の幅は一定でなく、その幅は約４cm〜１２cm程度あり、上記特許文献１の支持具においては、天井桟の幅方向両側を係止する両係止部の幅が一定であり、使用するには天井桟の各幅に応じた複数の支持具を用意しておかなければならず、汎用性に乏しく、大きさが一定の支持具では何処の施工箇所にも共通して使用できない問題点を有していた。
【０００６】
また、上記特許文献１の支持具は天井桟に単に乗せ掛けさせるだけで固定されていないため、時として天井ボードを強く支持具内に押し込むと、支持具が天井桟から外れ落ちる
虞があり、作業の安定性に乏しく、更に、天井桟から支持具を取り外すにしても、天井ボードが入り込んだ状態ではそのまま外せず、支持具を天井桟の無い所まで横に移動させて取り外さなければならず、取り外すのに面倒であるという問題点を有していた。
【０００７】
本発明は、天井桟の各幅に関係なく一つの支持具で対応できると共に、種々の天井桟に対する天井ボードの位置決めが正確な天井ボード用支持具を提供することを目的とする。
【０００８】
他の目的は、天井桟に強固に固定できると共に、天井ボードの止着作業が確実で、安定性があり、しかも、天井桟への取付けや取り外しが簡単な天井ボード用支持具を提供することにある。
【課題を解決するための手段】
【０００９】
本発明は、断面四角形状なＬ型ロッド（１）の縦ロッド（１a）側をスライドアーム（２）の後端側に穿設した角孔（２a）に遊嵌すると共に、前記Ｌ型ロッド（１）上部の横ロッド（１b）先端部に上挟持板（３）を設け、前記スライドアーム（２）の先端側には、上方に突出し前記上挟持板（３）と対向する下挟持板部（４a）を備えた支持部材（４）が上下移動可能に設けられると共に、天井桟（Ａ）を挟んで前記支持部材（４）を前記上挟持板（３）に押し付けて前記スライドアーム（２）を前記縦ロッド（１a）にロックするロック手段（５）を具備し、且つ、前記横ロッド（１b）には、その下部から突出するストッパ（６）を移動自在に設けたことを特徴とする。
【００１０】
前記支持部材（４）が、その一端側から上方に突出して前記上挟持板（３）と対向する前記下挟持板部（４a）を備え、且つ、前記下挟持板部（４a）の長手方向の中央側面には下方に伸長する四角棒状の摺動杆（４c）設け、この摺動杆（４c）の下部を前記スライドアーム（２）の案内用角孔（２b）に遊嵌させ、前記スライドアーム（２）に前記支持部材（４）を上下移動可能に設けるのが好ましい。
【００１１】
前記支持部材（４）にビス止め用の貫通穴（４b）を穿設するのが好ましい。
【００１２】
前記ロック手段（５）が、少なくとも、前記スライドアーム（２）の先端側に螺合し、下部に回転握り部（５１a）を有するネジ棒（５１）であるのが好ましい。
【００１３】
前記ロック手段（５）が、少なくとも、前記スライドアーム（２）の先端に形成したラチェト（２１）と、前記スライドアーム（２）の先端部に回動自在に設けたレバー（５２）と、このレバー（５２）に設けた係止爪（５３）及び解除ボタン（５４）とから成るのが好ましい。
【発明の効果】
【００１４】
本発明は、断面四角形状なＬ型ロッド（１）の縦ロッド（１a）側をスライドアーム（２）の後端側に穿設した角孔（２a）に遊嵌すると共に、前記Ｌ型ロッド（１）上部の横ロッド（１b）先端部に上挟持板（３）を設け、前記スライドアーム（２）の先端側には、一端側から上方に突出し前記上挟持板（３）と対向する下挟持板部（４a）を備えた支持部材（４）が上下移動可能に設けられると共に、天井桟（Ａ）を挟んで前記支持部材（４）を前記上挟持板（３）に押し付けて前記スライドアーム（２）を前記縦ロッド（１a）にロックするロック手段（５）を具備したことにより、天井桟（Ａ）に本発明の支持具を強く挟持して固定でき、天井ボード（Ｂ）を支持具に強く押し当てても、支持具が天井桟から外れることがなく、安定的に作業ができる。
しかも、天井桟（Ａ）の幅に関係なく一つの支持具で対応できるので、どんな天井でも効率よく天井桟（Ａ）に天井ボード（Ｂ）を止着できる。
【００１５】
また、前記Ｌ型ロッド（１）の横ロッド（１b）に、その下部から突出するストッパ（６）を移動自在に設けたことにより、支持具を天井桟（Ａ）に固定する際に、天井桟（Ａ）の裏に支持具の横ロッド（１b）側を挿入すると、ストッパ（６）が天井桟（Ａ）の側面に当接し、その当接した位置で天井桟（Ａ）を支持具で挟持して固定すればよく、これにより、天井桟（Ａ）の幅に対して設定した支持部材（４）の位置が自動的に確保され、よって天井桟（Ａ）に対する支持具の取付け位置が常に正確となり、しかも、ストッパ（６）を移動自在に設けているからストッパ（６）の位置が天井桟（Ａ）の幅に合わせて自由に設定できる。
【００１６】
更に、Ｌ型ロッド（１）と、ロック手段（５）でロックするスライドアーム（２）とを具備したことにより、天井桟（Ａ）に対する支持具の取付けや取り外しが、長い縦ロッド（１a）を握って行うので、脚立に高く登ることなく楽にでき、しかも、天井桟（Ａ）から支持具を取り外すにも、支持具を移動することなくその場で出来るので極めて簡単となる。
【図面の簡単な説明】
【００１７】
【図１】本発明の実施形態を示す説明図である。
【図２】本発明の上挟持板と下挟持板部を示す斜視図である。
【図３】本発明の支持部材を示す斜視図である。
【図４】本発明のストッパの取付け状態を示す説明図である。
【図５】本発明のストッパ示す斜視図である。
【図６】本発明の他のロック手段を示す説明図である。
【発明を実施するための形態】
【００１８】
以下、本発明の実施形態を図１〜図６に基づいて実施形態を説明する。
図１に示すように、（１）は金属製で断面形状が四角なＬ型ロッドであり、このＬ型ロッド（１）は、下方が握り部となる縦ロッド（１a）と、縦ロッド（１a）の上部を略Ｌ型に折曲した横ロッド（１b）とからなる。
【００１９】
（２）はスライドアームであり、このスライドアーム（２）は、その後端側に穿設した角孔（２a）にＬ型ロッド（１）の縦ロッド（１a）を遊嵌させ、前記縦ロッド（１a）と対向して移動可能に設けている。そして、スライドアーム（２）の先端側には、後述する支持部材（４）と、天井桟（Ａ）を挟んで、支持部材（４）を上挟持板（３）に押し付けて前記スライドアーム（２）を前記縦ロッド（１a）にロックするロック手段（５）とを具備している。
尚、角孔（２a）にＬ型ロッド（１）の縦ロッド（１a）を遊嵌させるのは、嵌入状態が多少のガタつきをもたせ、このガタつきで、角孔（２a）が縦ロッド（１a）に噛み込んで、スライドアーム（２）のロックが掛かるようにしている。
【００２０】
（３）は、図２に示すように、長板状の上挟持板であり、その長手方向の中央部を横ロッド（１b）の先端部に、面を下に向けてＴ字状に固着させている。
【００２１】
（４）は、図３に示すように、スライドアーム（２）の先端側に設け、天井ボード（Ｂ）の片側を支持する板状の支持部材であり、この支持部材（４）は、その一端側の上面に板状の下挟持板部（４a）を突出して設けている。
この下挟持板部（４a）は上方の上挟持板（３）と上下で対向する位置に配し、その長さと幅が上挟持板（３）と略同一であり、また突出する高さ、つまり板厚は天井ボード（Ｂ）の厚さよりも略１〜３ｍｍ程度大きくし、天井桟（Ａ）を挟持した際に、天井桟（Ａ）と支持部材（４）との隙間に天井ボード（Ｂ）が容易に差し込めるようにしている。
【００２２】
また、支持部材（４）は、下挟持板部（４a）の側面中央から下方に伸長する四角棒状の摺動杆（４c）設け、摺動杆（４c）の下方がスライドアーム（２）の案内用角孔（２b）に遊嵌されて、これにより支持部材（４）はスライドアーム（２）に対して、上下方向を移動可能に設けられている。
従って、支持部材（４）は四角棒状の摺動杆（４c）及び案内用角孔（２b）で上下方向を案内され、且つ、回動することなく上下移動ができる。
また、支持部材（４）先端側は、下方に湾曲させて形成し、天井ボード（Ｂ）を差し込む際に、差し込みを容易にすると共に、摺り傷が付くのを防止している。
尚、支持部材（４）先端側の湾曲は先端を９０度近く曲げておくと、天井ボード（Ｂ）の差し込み側端部を、先に支持部材（４）先端に立てかけて置き、天井ボード（Ｂ）の他端側を手で持ち上げ、差し込み側端部を滑らして天井桟（Ａ）と支持部材（４）との隙間に差し込め、一人での作業性がよい。
【００２３】
更に、支持部材（４）には、貫通孔（４b）を穿設し、これにより、天井桟（Ａ）を挟持した状態のままでも、この貫通孔（４b）を利用して天井ボード（Ｂ）のビス止めが可能となり、一枚の天井ボード（Ｂ）をビス止めするのに、保持具を外す必要がない。
【００２４】
（５）はスライドアーム（２）を縦ロッド（１a）にロックするロック手段であり、この
ロック手段（５）がネジ式では、ネジ棒（５１）がスライドアーム（２）の先端部に螺合し、ネジ棒（５１）の下端部に回転握り部（５１a）を、先端に回転自在な押し盤（５１b）を設けている。これにより、天井桟（Ａ）を挟持するのに、回転握り部（５１a）を回すと、ネジ棒（５１）がスライドアーム（２）から押し出され、押し盤（５１b）が支持部材（４）を上方に押して天井桟（Ａ）を挟持すると、テコの原理でスライドアーム（２）の角孔（２a）が傾き、この角孔（２a）が縦ロッド（１a）に噛み込んで、スライドアーム（２）が縦ロッド（１a）にロックされる。
【００２５】
また、図６に示すように、ロック手段（５）がラチェットレバー方式では、前記スライドアーム（２）の先端に形成したラチェト（２１）と、前記スライドアーム（２）の先端部に回動自在に設けたレバー（５２）と、このレバー（５２）に設けた係止爪（５３）及び解除ボタン（５４）とから成る。
これはレバー（５２）を引くと、その先端の押し部（５２a）が支持部材（４）を上方に押して天井桟（Ａ）を挟持し、スライドアーム（２）が縦ロッド（１a）にロックされると共に、ラチェット（２１）と係止爪（５３）とでレバー（５２）の戻りを阻止させ、解除ボタン（５４）を押すと、ラチェット（２１）に係止した係止爪（５３）が外れ、レバー（５２）の戻りが解除され、天井桟（Ａ）のクランプを解除する方式のもので、この方式ではワンタッチでロックできるので作業性がよい。
尚、これらのロック手段（５）は、Ｌ型クランプの作業工具として、既に公知であるから、これ以上の説明を省略する。
更に、ロック手段（５）としては、上記のものに限定されず、要するに、天井桟（Ａ）を挟んで前記支持部材（４）を前記上挟持板（３）に押し付けて前記スライドアーム（２）を前記縦ロッド（１a）にロックするものならばよい。
【００２６】
（６）は、図４、５に示すように、横ロッド（１b）の下部から下方に突出させたストッパであり、支持具を天井桟（Ａ）に差し込んだ際に、上挟持板（３）と下挟持板部（４a）が天井桟（Ａ）の所定の位置を挟持するためのものである。
このストッパ（６）が天井桟（Ａ）の側面に当接して、天井桟（Ａ）に対する支持具の位置決めする。
このストッパ（６）の一例としては、ストッパ本体（６a）の両側に、上方に折曲したガイド部（６b）と、ストッパ本体（６a）の一端部を下方に折曲した当接面部（６c）とを形成し、且つ、ストッパ本体（６a）に長穴（６d）穿設している。
このストッパ（６）は、図５の如く、横ロッド（１b）の下面に取付け、蝶ネジ（７）で横ロッド（１b）に固定させる。この際に当接面部（６c）の位置は長穴（６d）により調整できる。
尚、ストッパ（６）の当接面部（６c）の位置を調整する目安は、天井ボード（Ｂ）が当接する下挟持板部（４a）の側面位置と当接面部（６c）間の距離が、天井桟（Ａ）の幅に対して１/２〜１/４程度の位置になるように調整すればよく、要するに、天井桟（Ａ）の幅に対し、天井ボード（Ｂ）の差し込み側を、少なくとも１/２は下挟持板部（４a）が当たらないように開けて置き、天井桟（Ａ）にビス止めが出来るようにしている。
【００２７】
次に、本発明の支持具について、その使用方法を説明する。
先ず、Ｌ型ロッド（１）の縦ロッド（１a）下部を手で握り、天井桟（Ａ）の裏側に横ロッド（１b）の先端側を差し込むと、ストッパ（６）の当接面部（６c）が天井桟（Ａ）に当接し、支持具はその位置に止まる。
そして、スライドアーム（２）を手で押し上げて支持部材（４）を天井桟（Ａ）に当接させた後、ロック手段（５）で支持部材（４）を上方に押し上挟持板（３）とで天井桟（Ａ）を挟持してスライドアーム（２）を縦ロッド（１a）にロックする。この際支持部材（４）は締付分だけ少し上方に移動する。
このロック状態では、上挟持板（３）と支持部材（４）の下挟持板部（４a）とで天井桟（Ａ）を挟持することにより、支持具は天井桟（Ａ）に強固に固定される。
次に、天井ボード（Ｂ）の一端を天井桟（Ａ）と支持部材（４）との隙間に挿入させ下挟持板部（４a）に当接させると、天井ボード（Ｂ）の片側が支持具の支持部材（４）で支持される。
この支持具で片側を支持された状態の天井ボード（Ｂ）は、その他方の端部を、手で支えながら他の天井桟（Ａ）にビス止めし、次いで支持具で支持された天井ボード（Ｂ）の端部を挟持した天井桟（Ａ）にビス止めすればよい。
従って、天井ボード（Ｂ）を取り付けるのに一人で容易に、しかも正確に行えるのである。特に本発明の支持具では、天井桟（Ａ）の幅寸法に関係なく、一つの支持具でもって天井ボード（Ｂ）の取り付けが出来るのである。
【符号の説明】
【００２８】
１   Ｌ型ロッド
１a  縦ロッド
１b  横ロッド
２   スライドアーム
２a  角孔
２b  案内用角孔
３   上挟持板
４   支持部材
４a  下挟持板部
４b  貫通穴
４c  摺動杆
５   ロック手段
51   ネジ棒
51a  回転握り部
52   レバー
53   係止爪
54   解除ボタン
６   ストッパ
Ａ   天井桟
【図１】
2017128869.tif 000003
【図２】
2017128869.tif 000004
【図３】
2017128869.tif 000005
【図４】
2017128869.tif 000006
【図５】
2017128869.tif 000007
【図６】
2017128869.tif 000008